【手続補正書】
【提出日】平成16年11月11日(2004.11.11)
【手続補正１】
【補正対象書類名】明細書
【補正対象項目名】発明の名称
【補正方法】変更
【補正の内容】
【発明の名称】画像通信装置、及びデータ処理方法
【手続補正２】
【補正対象書類名】明細書
【補正対象項目名】特許請求の範囲
【補正方法】変更
【補正の内容】
【特許請求の範囲】
【請求項１】
複数のフォルダ毎に情報を管理可能な情報処理装置に接続された画像通信装置であって、
画像データを入力する入力手段と、
前記入力手段で入力された画像データを指定された送信先に送信する送信手段と、
前記送信手段で画像データを送信する送信先と対応して前記情報処理装置上のフォルダを登録する登録手段と、
前記登録手段で登録された送信先が指定された場合、前記入力手段で入力された画像データを前記送信手段により当該送信先に送信するとともに、該画像データを前記登録手段で該送信先と対応して登録された前記情報処理装置上のフォルダに格納させるべく転送するよう制御する制御手段とを有することを特徴とする画像通信装置。
【請求項２】
原稿上の画像を読み取る読取手段を有し、前記入力手段は前記読取手段によって得た画像データを入力することを特徴とする請求項１に記載の画像通信装置。
【請求項３】
前記制御手段は、前記入力手段で入力された画像データとともに前記送信手段で当該画像データを送信した送信先の情報を前記情報処理装置に転送するよう制御することを特徴とする請求項１または２に記載の画像通信装置。
【請求項４】
前記制御手段は、前記入力手段で入力された画像データとともに該画像データを前記送信手段により送信した日時の情報を前記情報処理装置に転送するよう制御することを特徴とする請求項１乃至３のいずれかに記載の画像通信装置。
【請求項５】
前記制御手段は、前記入力手段で入力された画像データとともに該画像データを送信手段により送信した結果を表す情報を前記情報処理装置に転送するよう制御することを特徴とする請求項１乃至４のいずれかに記載の画像通信装置。
【請求項６】
複数のフォルダ毎に情報を管理可能な情報処理装置及び前記情報処理装置に接続され、入力された画像データを指定された送信先に送信する画像通信装置を有する画像通信システムにおけるデータ処理方法であって、
前記画像通信装置が画像データを送信するための送信先と対応して前記情報処理装置上のフォルダを登録し、
前記画像通信装置が画像データを送信するための送信先として前記登録された送信先が指定された場合、前記画像通信装置が入力した画像データを当該送信先に送信するとともに、該画像データを該送信先と対応して登録されたフォルダに格納させるべく転送することを特徴とするデータ処理方法。
【請求項７】
前記画像通信装置は、原稿上の画像を読み取る読取手段を有し、送信先に送信されるべき画像データは前前記読取手段によって得た画像データを入力することを特徴とする請求項６に記載のデータ処理方法。
【請求項８】
前記画像通信装置は、入力された画像データとともに当該画像データを送信した送信先の情報を前記情報処理装置に転送することを特徴とする請求項６または７に記載のデータ処理方法。
【請求項９】
前記画像通信装置は、入力された画像データとともに該画像データを送信した日時の情報を前記情報処理装置に転送することを特徴とする請求項６乃至８のいずれかに記載のデータ処理方法。
【請求項１０】
前記画像通信装置は、入力された画像データとともに該画像データを送信した結果を表す情報を前記情報処理装置に転送することを特徴とする請求項６乃至９のいずれかに記載のデータ処理方法。
【請求項１１】
請求項６乃至１０のいずれかに記載のデータ処理方法をコンピュータによって実行するためのプログラムを記憶した記憶媒体。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
【課題を解決するための手段】
本発明は、複数のフォルダ毎に情報を管理可能な情報処理装置に接続された画像通信装置であって、画像データを入力する入力手段と、前記入力手段で入力された画像データを指定された送信先に送信する送信手段と、前記送信手段で画像データを送信する送信先と対応して前記情報処理装置上のフォルダを登録する登録手段と、前記登録手段で登録された送信先が指定された場合、前記入力手段で入力された画像データを前記送信手段により当該送信先に送信するとともに、該画像データを前記登録手段で該送信先と対応して登録された前記情報処理装置上のフォルダに格納させるべく転送するよう制御する制御手段とを有している。
【手続補正５】
【補正対象書類名】明細書
【補正対象項目名】０００７
【補正方法】変更
【補正の内容】
【０００７】
また、本発明は、原稿上の画像を読み取る読取手段を有し、前記入力手段は前記読取手段によって得た画像データを入力するように構成されている。
【手続補正６】
【補正対象書類名】明細書
【補正対象項目名】０００８
【補正方法】変更
【補正の内容】
【０００８】
また、本発明では、前記制御手段は、前記入力手段で入力された画像データとともに前記送信手段で当該画像データを送信した送信先の情報を前記情報処理装置に転送するよう制御するように構成されている。
【手続補正７】
【補正対象書類名】明細書
【補正対象項目名】０００９
【補正方法】変更
【補正の内容】
【０００９】
また、本発明では、前記制御手段は、前記入力手段で入力された画像データとともに該画像データを前記送信手段により送信した日時の情報を前記情報処理装置に転送するよう制御するように構成されている。
【手続補正８】
【補正対象書類名】明細書
【補正対象項目名】００１０
【補正方法】変更
【補正の内容】
【００１０】
また、本発明では、前記制御手段は、前記入力手段で入力された画像データとともに該画像データを送信手段により送信した結果を表す情報を前記情報処理装置に転送するよう制御するように構成されている。
【手続補正９】
【補正対象書類名】明細書
【補正対象項目名】００１１
【補正方法】変更
【補正の内容】
【００１１】
また、本発明は、複数のフォルダ毎に情報を管理可能な情報処理装置及び前記情報処理装置に接続され、入力された画像データを指定された送信先に送信する画像通信装置を有する画像通信システムにおけるデータ処理方法であって、前記画像通信装置が画像データを送信するための送信先と対応して前記情報処理装置上のフォルダを登録し、前記画像通信装置が画像データを送信するための送信先として前記登録された送信先が指定された場合、前記画像通信装置が入力した画像データを当該送信先に送信するとともに、該画像データを該送信先と対応して登録されたフォルダに格納させるべく転送している。
【手続補正１０】
【補正対象書類名】明細書
【補正対象項目名】００１２
【補正方法】変更
【補正の内容】
【００１２】
また、本発明では、前記画像通信装置は、原稿上の画像を読み取る読取手段を有し、送信先に送信されるべき画像データは前前記読取手段によって得た画像データを入力するように構成されている。
【手続補正１１】
【補正対象書類名】明細書
【補正対象項目名】００１３
【補正方法】変更
【補正の内容】
【００１３】
また、本発明では、前記画像通信装置は、入力された画像データとともに当該画像データを送信した送信先の情報を前記情報処理装置に転送するように構成されている。
【手続補正１２】
【補正対象書類名】明細書
【補正対象項目名】００１４
【補正方法】変更
【補正の内容】
【００１４】
また、本発明では、前記画像通信装置は、入力された画像データとともに該画像データを送信した日時の情報を前記情報処理装置に転送するように構成されている。
【手続補正１３】
【補正対象書類名】明細書
【補正対象項目名】００１５
【補正方法】変更
【補正の内容】
【００１５】
また、本発明では、前記画像通信装置は、入力された画像データとともに該画像データを送信した結果を表す情報を前記情報処理装置に転送するように構成されている。
【手続補正１４】
【補正対象書類名】明細書
【補正対象項目名】００１６
【補正方法】変更
【補正の内容】
【００１６】
また、本発明に係る記憶媒体は、請求項６乃至１０のいずれかに記載のデータ処理方法をコンピュータによって実行するためのプログラムを記憶している。
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００３５
【補正方法】変更
【補正の内容】
【００３５】
【発明の効果】
以上説明したように、本発明によれば、複数のフォルダ毎に情報を管理可能な情報処理装置に接続された画像通信装置であって、画像データを入力する入力手段と、前記入力手段で入力された画像データを指定された送信先に送信する送信手段と、前記送信手段で画像データを送信する送信先と対応して前記情報処理装置上のフォルダを登録する登録手段と、前記登録手段で登録された送信先が指定された場合、前記入力手段で入力された画像データを前記送信手段により当該送信先に送信するとともに、該画像データを前記登録手段で該送信先と対応して登録された前記情報処理装置上のフォルダに格納させるべく転送するよう制御する制御手段とを有しているので、送信した画像データを簡単、かつ容易に探索し得る形で管理することが可能となる。